(57)【要約】【課題】  本発明の実施例は、データ処理方法、装置及び記憶媒体を開示する。【解決手段】  前記データ処理方法は、所定時間範囲内で来訪した複数のターゲット人物の収集画像に基づいて、複数の車種に対応する総滞在時間長を特定するステップと、前記複数の車種に対応する総滞在時間長に基づいて、前記複数の車種の人気度ランキング結果を特定するステップと、前記複数の車種の人気度ランキング結果を端末へ送信するステップとを含む。【選択図】図１
2022500718.tif 000002
【特許請求の範囲】
【請求項１】
サーバに用いられるデータ処理方法であって、
所定時間範囲内で来訪した複数のターゲット人物の収集画像に基づいて、複数の車種に対応する総滞在時間長を特定するステップと、
前記複数の車種に対応する総滞在時間長に基づいて、前記複数の車種の人気度ランキング結果を特定するステップと、
前記複数の車種の人気度ランキング結果を端末へ送信するステップと、を含む
ことを特徴とするデータ処理方法。
【請求項２】
各ターゲット人物の複数の車種に対する滞在時間長情報に基づいて、前記各ターゲット人物の注目車種を特定するステップを更に含む
ことを特徴とする請求項１に記載のデータ処理方法。
【請求項３】
前記複数の車種に対応する総滞在時間長を特定するステップは、
前記複数の収集画像中で出現したターゲット人物の位置情報と前記複数の車種に対応する車種領域の予め設定した位置情報とに基づいて、前記ターゲット人物の所在する車種領域を特定することと、
前記収集画像の収集時間と前記ターゲット人物の所在する車種領域とに基づいて、前記複数の収集画像に出現したターゲット人物の複数の車種に対する滞在時間長を特定することと、を含む
ことを特徴とする請求項１又は２に記載のデータ処理方法。
【請求項４】
前記複数の車種に対応する総滞在時間長を特定するステップは、
前記ターゲット人物の隣接な出現に対応する車種領域が同じであり且つ前記隣接な出現に対応する時間差が所定時間閾値以下であることに応答して、前記隣接な出現に対応する時間差を前記ターゲット人物の前記対応する車種領域での滞在時間長に算入することを含む
ことを特徴とする請求項１又は２に記載のデータ処理方法。
【請求項５】
前記複数の車種に対応する総滞在時間長を特定するステップは、
前記ターゲット人物の隣接な出現に対応する時間差が所定時間閾値よりも大きいことに応答して、前記隣接な出現に対応する時間差を前記ターゲット人物の前記対応する車種領域での滞在時間長に算入しないと特定することを含む
ことを特徴とする請求項１又は２に記載のデータ処理方法。
【請求項６】
前記所定時間範囲内で来訪した複数のターゲット人物の収集画像に基づいて、複数の車種に対応する総滞在時間長を特定するステップは、
前記複数の車種に対応する複数の車種領域のうちの各車種領域ごとに、独立したアキュムレータを配置することと、
設定時間帯を単位として、前記車種領域に出現したターゲット人物の滞在時間長を前記アキュムレータを介して積算することにより、前記設定時間帯内の前記車種領域の累積滞在時間長を取得することと、
前記設定時間範囲内の少なくとも１つの前記設定時間帯の前記車種領域の累積滞在時間長を積算し、前記車種領域の総滞在時間長を取得することと、を含む
ことを特徴とする請求項１又は２に記載のデータ処理方法。
【請求項７】
前記設定時間帯がタイムアウトしたことに応答して、前記アキュムレータをリセットするステップを更に含む
ことを特徴とする請求項６に記載のデータ処理方法。
【請求項８】
前記データ処理方法は、
前記端末から送信された、前記所定時間範囲を少なくとも含む第１検索条件を受信するステップを更に含み、
前記所定時間範囲内で来訪した複数のターゲット人物の収集画像に基づいて、複数の車種に対応する総滞在時間長を特定するステップは、
前記第１検索条件に応答し、所定時間範囲内で来訪した複数のターゲット人物の収集画像に基づいて、複数の車種に対応する総滞在時間長を特定することを含む
ことを特徴とする請求項１から７の何れか一項に記載のデータ処理方法。
【請求項９】
端末に用いられるデータ処理方法であって、
サーバから送信された複数の車種の人気度ランキング結果を受信するステップと、
前記複数の車種の人気度ランキング結果を表示するステップと、を含み、
前記車種の人気度は、前記サーバが所定時間範囲内における複数の車種に対応する総滞在時間長に基づいて取得したものである
ことを特徴とするデータ処理方法。
【請求項１０】
前記所定時間範囲を少なくとも含む第１検索条件を受信するステップと、
前記第１検索条件を前記サーバへ送信するステップと、を更に含む
ことを特徴とする請求項９に記載のデータ処理方法。
【請求項１１】
所定時間範囲内で来訪した複数のターゲット人物の収集画像に基づいて、複数の車種に対応する総滞在時間長を特定するように構成される第１特定モジュールと、
前記複数の車種に対応する総滞在時間長に基づいて、前記複数の車種の人気度ランキング結果を特定するように構成される第２特定モジュールと、
前記複数の車種の人気度ランキング結果を端末へ送信するように構成される送信処理モジュールと、を備える
ことを特徴とするデータ処理装置。
【請求項１２】
各ターゲット人物の複数の車種に対する滞在時間長情報に基づいて、前記各ターゲット人物の注目車種を特定するように構成される第３特定モジュールを更に備える
ことを特徴とする請求項１１に記載のデータ処理装置。
【請求項１３】
前記第２特定モジュールは、
前記複数の収集画像中で出現したターゲット人物の位置情報と前記複数の車種に対応する車種領域の予め設定した位置情報とに基づいて、前記ターゲット人物の所在する車種領域を特定し、
前記収集画像の収集時間と前記ターゲット人物の所在する車種領域とに基づいて、前記複数の収集画像に出現したターゲット人物の複数の車種に対する滞在時間長を特定するように構成される
ことを特徴とする請求項１１又は１２に記載のデータ処理装置。
【請求項１４】
前記第２特定モジュールは、
前記ターゲット人物の隣接な出現に対応する車種領域が同じであり且つ前記隣接な出現に対応する時間差が所定時間閾値以下であることに応答して、前記隣接な出現に対応する時間差を前記ターゲット人物の前記対応する車種領域での滞在時間長に算入するように構成される
ことを特徴とする請求項１１又は１２に記載のデータ処理装置。
【請求項１５】
前記第２特定モジュールは、
前記ターゲット人物の隣接な出現に対応する時間差が所定時間閾値よりも大きいことに応答して、前記隣接な出現に対応する時間差を前記ターゲット人物の前記対応する車種領域での滞在時間長に算入しないと特定するように構成される
ことを特徴とする請求項１１又は１２に記載のデータ処理装置。
【請求項１６】
前記第２特定モジュールは、
前記複数の車種に対応する複数の車種領域のうちの各車種領域ごとに、独立したアキュムレータを配置するように構成される配置手段と、
設定時間帯を単位として、前記車種領域に出現したターゲット人物の滞在時間長を前記アキュムレータを介して積算することにより、前記設定時間帯内の前記車種領域の累積滞在時間長を取得するように構成される制御手段と、
前記設定時間範囲内の少なくとも１つの前記設定時間帯の前記車種領域の累積滞在時間長を積算し、前記車種領域の総滞在時間長を取得するように構成される特定手段と、を備える
ことを特徴とする請求項１１又は１２に記載のデータ処理装置。
【請求項１７】
前記制御手段は、更に、
前記設定時間帯がタイムアウトしたことに応答して、前記アキュムレータをリセットするように構成される
ことを特徴とする請求項１６に記載のデータ処理装置。
【請求項１８】
前記データ処理装置は、
前記端末から送信された、前記所定時間範囲を少なくとも含む第１検索条件を受信するように構成される受信処理モジュールを更に備え、
前記第２特定モジュールは、更に、
前記第１検索条件に応答し、所定時間範囲内で来訪した複数のターゲット人物の収集画像に基づいて、複数の車種に対応する総滞在時間長を特定する構成される
ことを特徴とする請求項１１から１７の何れか一項に記載のデータ処理装置。
【請求項１９】
端末に用いられるデータ処理装置であって、
サーバから送信された複数の車種の人気度ランキング結果を受信するように構成される通信モジュールと、
前記複数の車種の人気度ランキング結果を表示するように構成される表示処理モジュールと、備え、
前記車種の人気度は、前記サーバが所定時間範囲内における複数の車種に対応する総滞在時間長に基づいて取得したものである
ことを特徴とするデータ処理装置。
【請求項２０】
前記データ処理装置は、
前記所定時間範囲を少なくとも含む第１検索条件を受信するように構成される入力モジュールを更に備え、
前記通信モジュールは、更に、前記第１検索条件を前記サーバへ送信するように構成される
ことを特徴とする請求項１９に記載のデータ処理装置。
【請求項２１】
データ処理装置であって、
メモリと、プロセッサと、メモリに記憶されてプロセッサで運転され得るコンピュータプログラムとを含み、
前記プロセッサは、前記プログラムを実行したときに請求項１から１０の何れか一項に記載のデータ処理方法を実施する
ことを特徴とするデータ処理装置。
【請求項２２】
記憶媒体であって、
前記記憶媒体には、コンピュータプログラムが記憶され、
プロセッサは、前記コンピュータプログラムを実行したときに、請求項１から１０の何れか一項に記載のデータ処理方法を実施する
ことを特徴とする記憶媒体。
【請求項２３】
コンピュータプログラムであって、
前記コンピュータプログラムは、コンピュータ可読コードを含み、
前記コンピュータ可読コードが電子機器で運転されたときに、前記電子機器におけるプロセッサは、請求項１から１０の何れか一項に記載のデータ処理方法を実施する
ことを特徴とするコンピュータプログラム。
【発明の詳細な説明】
【技術分野】
【０００１】
本発明は、コンピュータビジョン分野に関し、具体的にデータ処理方法、装置及び記憶媒体に関する。
＜関連出願の相互引用＞
本発明は、出願番号が２０１９１０７５１０５４．４であり、出願日が２０１９年０８月１４日である中国特許出願を基に提出され、当該中国特許出願の優先権を主張し、当該中国特許出願の全ての内容が参照として本願に組み入れられる。
【背景技術】
【０００２】
４Ｓ店（Ｓａｌｅ、Ｓｐａｒｅ  ｐａｒｔ、Ｓｅｒｖｉｃｅ、Ｓｕｒｖｅｙの四位一体で車を販売するモデル）の実際の経営過程において、販売員が接待及び顧客のフォローアップを通じて単体顧客の車種に対する注目度を把握可能であるが、グループ顧客の各車種に対する注目度を洞察するには、いまだ有効な解決案がなかった。
【発明の概要】
【発明が解決しようとする課題】
【０００３】
本発明の実施例は、データ処理方法の技術案を提出する。
【課題を解決するための手段】
【０００４】
第１態様では、本発明の実施例は、データ処理方法を提供する。当該データ処理方法は、サーバに用いられる。当該データ処理方法は、所定時間範囲内で来訪した複数のターゲット人物の収集画像に基づいて、複数の車種に対応する総滞在時間長を特定するステップと、前記複数の車種に対応する総滞在時間長に基づいて、前記複数の車種の人気度ランキング結果を特定するステップと、前記複数の車種の人気度ランキング結果を端末へ送信するステップと、を含む。
【０００５】
１種の実現可能方式において、前記データ処理方法は、各ターゲット人物の複数の車種に対する滞在時間長情報に基づいて、前記各ターゲット人物の注目車種を特定するステップを更に含む。
【０００６】
１種の実現可能方式において、前記複数の車種に対応する総滞在時間長を特定するステップは、前記複数の収集画像中で出現したターゲット人物の位置情報と前記複数の車種に対応する車種領域の予め設定した位置情報とに基づいて、前記ターゲット人物の所在する車種領域を特定することと、前記収集画像の収集時間と前記ターゲット人物の所在する車種領域とに基づいて、前記複数の収集画像に出現したターゲット人物の複数の車種に対する滞在時間長を特定することと、を含む。
【０００７】
１種の実現可能方式において、前記複数の車種に対応する総滞在時間長を特定するステップは、前記ターゲット人物の隣接な出現に対応する車種領域が同じであり且つ前記隣接な出現に対応する時間差が所定時間閾値以下であることに応答して、前記隣接な出現に対応する時間差を前記ターゲット人物の前記対応する車種領域での滞在時間長に算入する。
【０００８】
１種の実現可能方式において、前記複数の車種に対応する総滞在時間長を特定するステップは、前記ターゲット人物の隣接な出現に対応する時間差が所定時間閾値よりも大きいことに応答して、前記隣接な出現に対応する時間差を前記ターゲット人物の前記対応する車種領域での滞在時間長に算入しないと特定することを含む。
【０００９】
１種の実現可能方式において、前記所定時間範囲内で来訪した複数のターゲット人物の収集画像に基づいて、複数の車種に対応する総滞在時間長を特定するステップは、前記複数の車種に対応する複数の車種領域のうちの各車種領域ごとに、独立したアキュムレータを配置することと、設定時間帯を単位として、前記車種領域に出現したターゲット人物の滞在時間長を前記アキュムレータを介して積算することにより、前記設定時間帯内の前記車種領域の累積滞在時間長を取得することと、前記設定時間範囲内の少なくとも１つの前記設定時間帯の前記車種領域の累積滞在時間長を積算し、前記車種領域の総滞在時間長を取得することと、を含む。
【００１０】
１種の実現可能方式において、前記データ処理方法は、前記設定時間帯がタイムアウトしたことに応答して、前記アキュムレータをリセットするステップを更に含む。
【００１１】
１種の実現可能方式において、前記データ処理方法は、前記端末から送信された、前記所定時間範囲を少なくとも含む第１検索条件を受信するステップを更に含み、前記所定時間範囲内で来訪した複数のターゲット人物の収集画像に基づいて、複数の車種に対応する総滞在時間長を特定するステップは、前記第１検索条件に応答し、所定時間範囲内で来訪した複数のターゲット人物の収集画像に基づいて、複数の車種に対応する総滞在時間長を特定することを含む。
【００１２】
第２態様では、本発明の実施例は、データ処理方法を提供する。当該データ処理方法は、端末に用いられる。前記データ処理方法は、サーバから送信された複数の車種の人気度ランキング結果を受信するステップと、前記複数の車種の人気度ランキング結果を表示するステップと、を含み、前記車種の人気度は、前記サーバが所定時間範囲内における複数の車種に対応する総滞在時間長に基づいて取得したものである。
【００１３】
１種の実現可能方式において、前記データ処理方法は、前記所定時間範囲を少なくとも含む第１検索条件を受信するステップと、前記第１検索条件を前記サーバへ送信するステップと、を更に含む。
【００１４】
第３態様では、本発明の実施例は、データ処理装置を提供する。前記データ処理装置は、所定時間範囲内で来訪した複数のターゲット人物の収集画像に基づいて、複数の車種に対応する総滞在時間長を特定するように構成される第１特定モジュールと、前記複数の車種に対応する総滞在時間長に基づいて、前記複数の車種の人気度ランキング結果を特定するように構成される第２特定モジュールと、前記複数の車種の人気度ランキング結果を端末へ送信するように構成される送信処理モジュールと、を備える。
【００１５】
１種の実現可能方式において、前記データ処理装置は、各ターゲット人物の複数の車種に対する滞在時間長情報に基づいて、前記各ターゲット人物の注目車種を特定するように構成される第３特定モジュールを更に備える。
【００１６】
１種の実現可能方式において、前記第２特定モジュールは、前記複数の収集画像中で出現したターゲット人物の位置情報と前記複数の車種に対応する車種領域の予め設定した位置情報とに基づいて、前記ターゲット人物の所在する車種領域を特定し、前記収集画像の収集時間と前記ターゲット人物の所在する車種領域とに基づいて、前記複数の収集画像に出現したターゲット人物の複数の車種に対する滞在時間長を特定するように構成される。
【００１７】
１種の実現可能方式において、前記第２特定モジュールは、前記ターゲット人物の隣接な出現に対応する車種領域が同じであり且つ前記隣接な出現に対応する時間差が所定時間閾値以下であることに応答して、前記隣接な出現に対応する時間差を前記ターゲット人物の前記対応する車種領域での滞在時間長に算入するように構成される。
【００１８】
１種の実現可能方式において、前記第２特定モジュールは、前記ターゲット人物の隣接な出現に対応する時間差が所定時間閾値よりも大きいことに応答して、前記隣接な出現に対応する時間差を前記ターゲット人物の前記対応する車種領域での滞在時間長に算入しないと特定するように構成される。
【００１９】
１種の実現可能方式において、前記第２特定モジュールは、前記複数の車種に対応する複数の車種領域のうちの各車種領域ごとに、独立したアキュムレータを配置するように構成される配置手段と、設定時間帯を単位として、前記車種領域に出現したターゲット人物の滞在時間長を前記アキュムレータを介して積算することにより、前記設定時間帯内の前記車種領域の累積滞在時間長を取得するように構成される制御手段と、前記設定時間範囲内の少なくとも１つの前記設定時間帯の前記車種領域の累積滞在時間長を積算し、前記車種領域の総滞在時間長を取得するように構成される特定手段と、を備える。
【００２０】
１種の実現可能方式において、前記制御手段は、更に、前記設定時間帯がタイムアウトしたことに応答して、前記アキュムレータをリセットするように構成される。
【００２１】
１種の実現可能方式において、前記データ処理装置は、前記端末から送信された、前記所定時間範囲を少なくとも含む第１検索条件を受信するように構成される受信処理モジュールを更に備え、前記第２特定モジュールは、更に、前記第１検索条件に応答し、所定時間範囲内で来訪した複数のターゲット人物の収集画像に基づいて、複数の車種に対応する総滞在時間長を特定する構成される。
【００２２】
第４態様では、本発明の実施例は、データ処理装置を提供する。当該データ処理装置は、端末に用いられる。前記データ処理装置は、サーバから送信された複数の車種の人気度ランキング結果を受信するように構成される通信モジュールと、前記複数の車種の人気度ランキング結果を表示するように構成される表示処理モジュールと、備え、前記車種の人気度は、前記サーバが所定時間範囲内における複数の車種に対応する総滞在時間長に基づいて取得したものである。
【００２３】
１種の実現可能方式において、前記データ処理装置は、前記所定時間範囲を少なくとも含む第１検索条件を受信するように構成される入力モジュールを更に備え、前記通信モジュールは、更に、前記第１検索条件を前記サーバへ送信するように構成される。
【００２４】
第５態様では、本発明の実施例は、データ処理装置を提供する。前記データ処理装置は、メモリと、プロセッサと、メモリに記憶されてプロセッサで運転され得るコンピュータプログラムとを含み、前記プロセッサは、前記プログラムを実行したときに本発明の実施例に記載のサーバ側に用いられるデータ処理方法のステップを実施する。
【００２５】
第６態様では、本発明の実施例は、記憶媒体を提供する。前記記憶媒体には、コンピュータプログラムが記憶され、プロセッサは、前記コンピュータプログラムを実行したときに、本発明の実施例に記載のサーバ側に用いられるデータ処理方法のステップを実施する。
【００２６】
第７態様では、本発明の実施例は、データ処理装置を提供する。前記データ処理装置は、メモリと、プロセッサと、メモリに記憶されてプロセッサで運転され得るコンピュータプログラムとを含み、前記プロセッサは、前記プログラムを実行したときに本発明の各実施例に記載の端末側に用いられるデータ処理方法のステップを実施する。
【００２７】
第８態様では、本発明の実施例は、記憶媒体を提供する。前記記憶媒体には、コンピュータプログラムが記憶され、プロセッサは、前記コンピュータプログラムを実行したときに、本発明の各実施例に記載の端末側に用いられるデータ処理方法のステップを実施する。
【００２８】
第９態様では、本発明の実施例は、コンピュータプログラムを提供する。前記コンピュータプログラムは、コンピュータ可読コードを含み、前記コンピュータ可読コードが電子機器で運転されたときに、前記電子機器におけるプロセッサは、本発明の実施例に記載のデータ処理方法を実施する。
【発明の効果】
【００２９】
本発明の実施例に係る技術案では、所定時間範囲内で来訪した複数のターゲット人物の収集画像に基づいて、複数の車種に対応する総滞在時間長を特定し、前記複数の車種に対応する総滞在時間長に基づいて、前記複数の車種の人気度ランキング結果を特定し、前記複数の車種の人気度ランキング結果を端末へ送信する。これにより、ターゲット人物の車種領域での滞在時間長に基づいて車種の人気度ランキングを特定するため、従業員が車種の人気度に応じて対応性のある仕事及びサービスを行うことに有利になり、顧客体験及び販売転換率を向上させる。
【００３０】
上述した一般的な記述と後文の詳細記述が単に例示的なものと解釈的なものであり、本発明を制限するためのものではないことは、理解されるべきである。
【図面の簡単な説明】
【００３１】
ここでの図面は、明細書に組み込まれて明細書の一部を構成し、本発明に合致する実施例を示しつつ、明細書の記載とともに本発明の技術案を説明するために用いられる。
図面を参照し、以下の詳細な記述により、本発明をより明瞭に理解できるのだろう。
【図１】本発明の実施例に係るデータ処理方法の実施フローの模式図１である。
【図２】本発明の実施例に係るデータ処理方法の実施フローの模式図２である。
【図３】本発明の実施例に係る車種人気度ディスプレイインターフェースの模式図である。
【図４】本発明の実施例に係るデータ処理装置の構成の模式図１である。
【図５】本発明の実施例に係るデータ処理装置の構成の模式図２である。
【図６】本発明の実施例に係るデータ処理を実施する装置６００のブロック図である。
【発明を実施するための形態】
【００３２】
以下、図面を参照して本発明の各種の例示的な実施例、特徴および態様を詳細に説明する。図面における同じ符号は、機能が同じ又は類似する素子を示す。図面に実施例の各種の態様が示されたが、専ら示さない限り、縮尺通りに図面を描く必要がない。
【００３３】
ここでの用語である「例示的な」は、「例示、実施例としてのもの、又は説明的なもの」を意味する。ここで「例示的な」で説明される如何なる実施例も、他の実施例よりも優れるや良くなるとして解釈されるとは限らない。
【００３４】
本文における用語である「及び／又は」は、単に関連対象の関連関係を記述するものであり、３種の関係が存在可能であることを示す。例えば、ａ及び／又はｂは、ａが単独に存在することと、ａ及びｂが同時に存在することと、ｂが単独に存在することという３種の場合を表せる。また、本文における用語である「少なくとも１種」は、複数種のうちの何れか１種又は複数種のうちの少なくとも２種の任意の組み合わせを示す。例えば、ａ、ｂ、ｃのうちの少なくとも１種を含むことは、ａ、ｂ及びｃによって構成された集合から、何れか１つ又は複数の要素を選択することを示してもよい。
【００３５】
また、本発明の実施例がより良く説明されるように、下文の具体的な実施形態において大量の具体的詳細が与えられている。当業者であれば理解できるように、幾つかの具体的詳細がなくても、本発明の実施例は同様に実施可能である。幾つかの実施例では、本発明の要旨がより目立つように、当業者でよく知られる方法、手段、素子及び回路について詳細に記述されていない。
【００３６】
理解できるように、本発明で言及された上記各方法実施例は、原理や論理に違反しない場合に、何れも互いに組み合わせて、組み合わせられた後の実施例を形成可能である。紙面の都合上から、本発明の実施例では、繰り返し説明しない。
【００３７】
本発明の実施例の技術案がより良好に当業者に理解されるように、以下では、本発明の実施例における図面を組み合わせて、本発明の実施例における技術案を明瞭に記述する。明らかに、記述される実施例は、単に本発明の一部の実施例に過ぎず、全部の実施例ではない。
【００３８】
本発明の明細書の実施例及び特許請求の範囲並びに上記図面における用語である「第１」、「第２」と「第３」等は、類似する対象を区分するために用いられ、特定の順番や前後順を描くとは限らない。また、用語である「含む」と「備える」およびそれらの如何なる変形も、非排他的な含有、例えば、一シリーズのステップ若しくは手段をカバーすることを意図する。方法、システム、製品若しくは機器は、それらのステップや手段を明確に挙げるとは限らず、明確に挙げられていないもの、或いはこれらの過程、方法、製品若しくは機器固有の他のステップや手段を含んでもよい。
【００３９】
本発明の実施例は、サーバ側に用いられるデータ処理方法を提供する。ただし、サーバは、クラウドサーバ又は普通のサーバであってもよい。前記データ処理方法は、更に、電子機器に用いられてもよい。ただし、電子機器は、ユーザ機器（Ｕｓｅｒ  Ｅｑｕｉｐｍｅｎｔ、ＵＥ）、モバイル機器、ユーザ端末、携帯電話、コードレス電話、パーソナルデジタルアシスタント（Ｐｅｒｓｏｎａｌ  Ｄｉｇｉｔａｌ  Ａｓｓｉｓｔａｎｔ、ＰＤＡ）、ハンドヘルド機器、計算機器、車載機器、ウェアラブル機器等であってもよい。図１に示すように、前記方法は、主に以下のステップを含む。
【００４０】
ステップＳ１０１では、所定時間範囲内で来訪した複数のターゲット人物の収集画像に基づいて、複数の車種に対応する総滞在時間長を特定する。
【００４１】
ただし、複数の車種に対応する総滞在時間長は、複数の車種のうちの各車種に対するポインタの総滞在時間長である。異なる車種に対応する総滞在時間長が異なる可能性がある。
【００４２】
例示的に、車種１は、第１個の設定時間帯における累積滞在時間長がｔ１であり、第２個の設定時間帯における累積滞在時間長がｔ２であり、第３個の設定時間帯における累積滞在時間長がｔ３である。そうすると、当該所定時間範囲内に、車種１の総滞在時間長の和は、ｔ１＋ｔ２＋ｔ３となる。車種２は、第１個の設定時間帯における累積滞在時間長がｔ１’であり、第２個の設定時間帯における累積滞在時間長がｔ２’であり、第３個の設定時間帯における累積滞在時間長がｔ３’である。そうすると、当該所定時間範囲内に、車種１の総滞在時間長の和は、ｔ１’＋ｔ２’＋ｔ３’となる。
【００４３】
ただし、滞在時間長の和が大きいほど、車種の人気度は、大きくなり、車種の和が小さいほど、車種の人気度は、小さくなる。
【００４４】
理解できるように、前記ターゲット人物は、ホワイトリストに記入された人を含まない。
【００４５】
ただし、ホワイトリストとは、車種人気度へ影響を与えない又は影響が発生しても無視できる程度の人、例えば、購入需要が存在しないか、又は購入需要が薄い人を指す。前記ホワイトリストは、４Ｓ店の従業員、清掃員、修理師、宅配業者、出前係のうちの少なくとも１つを含む。
【００４６】
説明すべきことは、前記ホワイトリストにおける人員は、ユーザの需要に応じて設定又は調整され得る。
【００４７】
１種の好適な実施例において、画像収集装置の収集画像を認識する際に、現在被認識対象がホワイトリスト人員に属するか否かを先に判断し、ホワイトリスト人員に属する場合に、前記現在被認識対象を無視し、ホワイトリスト人員に属しない場合に、現在被認識対象をターゲット人物として判定し、当該ターゲット人物の複数の車種に対する滞在時間長を分析する。
【００４８】
幾つかの実施形態において、前記複数の車種に対応する総滞在時間長を特定することは、
前記複数の収集画像中で出現したターゲット人物の位置情報と前記複数の車種に対応する車種領域の予め設定した位置情報とに基づいて、前記ターゲット人物の所在する車種領域を特定することと、
前記収集画像の収集時間と前記ターゲット人物の所在する車種領域とに基づいて、前記複数の収集画像に出現したターゲット人物の複数の車種に対する滞在時間長を特定することと、を含む。
【００４９】
ここで、前記所定車種領域の所在する領域は、単車の示す領域以上であり、前記所定車種領域は、システムによって自動的に区分されてもよく、又は人為的に区分されてもよい。実際の応用では、各所定車種領域は、独立した番号を有し、各車種は、複数の所定車種領域に対応可能である。
【００５０】
説明すべきことは、車種と車種領域との対応関係は、ユーザの手動設置によって特定されてもよい。車種と車種領域との対応関係は、システムの自動設置によって特定されてもよく、例えば、車自身の形状及び識別子に基づいて自動的に設置されてもよい。例えば、各車種は、１つの車種領域に対応する。例示的に、ホーバーＨ６車種の自動車は、車種領域１でディスプレイされ、ホーバーＨ７車種の自動車は、車種領域２でディスプレイされ、ホーバーＭ６車種の自動車は、車種領域３でディスプレイされ、ホーバーＦ７車種の自動車は、車種領域４でディスプレイされている。
【００５１】
更に例えば、同じ車種は、１つ又は複数の車種領域に対応可能である。例示的に、ホーバーＨ６車種の自動車は、車種領域１と２でディスプレイされ、ホーバーＨ７車種の自動車は、車種領域３と４でディスプレイされ、ホーバーＭ６車種の自動車は、車種領域５でディスプレイされ、ホーバーＦ７車種の自動車は、車種領域６でディスプレイされている。
【００５２】
幾つかの実施例において、車種と車種領域との関係は、予め特定されてもよい。例えば、車種と車種領域との関係は、ユーザによって設定される。又は、車種と車種領域との関係は、車両位置に基づいて特定される。
【００５３】
幾つかの実施形態において、前記複数の車種に対応する総滞在時間長を特定することは、
前記ターゲット人物の隣接な出現に対応する車種領域が同じであり且つ前記隣接な出現に対応する時間差が所定時間閾値以下であることに応答して、前記隣接な出現に対応する時間差を前記ターゲット人物の前記対応する車種領域での滞在時間長に算入することを含む。
【００５４】
幾つかの実施形態において、前記複数の車種に対応する総滞在時間長を特定することは、
前記ターゲット人物の隣接な出現に対応する時間差が所定時間閾値よりも大きいことに応答して、前記隣接な出現に対応する時間差を前記ターゲット人物の前記対応する車種領域での滞在時間長に算入しないと特定することを含む。
【００５５】
説明すべきことは、前記所定時間閾値は、実際の状況やユーザの需要に応じて設定又は調整されてもよい。
【００５６】
例示的に、所定時間閾値は、５分間であり、画像収集及び画像認識処理を担うフロントエンドサーバは、１分間おきに注目車種分析を担うバックエンドサーバへパケットを１回送信し、当該パケットには、各ターゲット人物の時間情報及び位置情報が含まれ、バックエンドサーバは、ターゲット人物Ａの来訪情報（具体的に、ターゲット人物Ａが９：００に第１車種領域に出現したことを含む）に関するパケットを受信し、第７分にターゲット人物Ａに関する来訪情報（具体的に、ターゲット人物Ａが９：０７に第１車種領域に出現したことを含む）を受信したが、第２分、第３分、第４分、第５分及び第６分の何れにも、ターゲット人物Ａに関するパケットを受信しなかった。そうすると、バックエンドサーバは、ターゲット人物Ａが実際にキャプチャされただけと判定し、ターゲット人物Ａの滞在時間長を記録しない。
【００５７】
例示的に、バックエンドサーバは、第１分（１番目の１分である）に、ターゲット人物Ｂに関する来訪情報（具体的に、ターゲット人物Ｂが９：０１に第１車種領域に出現したことを含む）を受信し、第２分（２番目の１分である）に、ターゲット人物Ｂに関する来訪情報（具体的に、ターゲット人物Ｂが９：０２に第２車種領域に出現したことを含む）を受信したが、第３分、第４分、第５分、第６分及び第７分の何れにも、ターゲット人物Ｂに関するパケットを受信しなかった。そうすると、バックエンドサーバは、ターゲット人物Ｂが実際に離れたと判定し、ターゲット人物Ｂの滞在時間長を記録しない。
【００５８】
例示的に、バックエンドサーバは、第１分に、ターゲット人物Ｃに関する来訪情報（具体的に、ターゲット人物Ｃが９：０１に第１車種領域に出現したことを含む）を受信し、第２分に、ターゲット人物Ｃに関する来訪情報（具体的に、ターゲット人物Ｃが９：０２に第２車種領域に出現したことを含む）を受信し、第３分、第４分、第５分、第６分及び第７分の何れにも、ターゲット人物Ｃに関するパケットを受信しなかった。そうすると、バックエンドサーバは、ターゲット人物Ｃの第１車種領域での滞在時間長が１分間であると判定する。
【００５９】
これにより、所定時間閾値を設定することで各ターゲット人物の車種に対する滞在時間長を特定するため、ターゲット人物の注目車種を特定するのにより合理的でより正確なデータ基礎を供給可能である。
【００６０】
幾つかの実施形態において、前記所定時間範囲内で来訪した複数のターゲット人物の収集画像に基づいて、複数の車種に対応する総滞在時間長を特定することは、
前記複数の車種に対応する複数の車種領域のうちの各車種領域ごとに、独立したアキュムレータを配置することと、
設定時間帯を単位として、前記車種領域に出現したターゲット人物の滞在時間長を前記アキュムレータを介して積算することにより、前記設定時間帯内の前記車種領域の累積滞在時間長を取得することと、
前記設定時間範囲内の少なくとも１つの前記設定時間帯の前記車種領域の累積滞在時間長を積算し、前記車種領域の総滞在時間長を取得することと、を含む。
【００６１】
更に、前記方法は、
前記設定時間帯がタイムアウトしたことに応答して、前記アキュムレータをリセットするステップを更に含む。
説明すべきことは、前記設定時間帯は、ユーザの需要に応じて設定又は調整されてもよい。
【００６２】
データのリアルタイム性が保証されるように、設定時間帯が１日であることを例とすると、毎日の各車種ごとに単独の１つのアキュムレータを設け、１日が終わったときに当該アキュムレータの積算によって得られた数値を記憶し、その後当該アキュムレータをリセットすることにより、次の日のターゲット人物滞在時間長を便利に統計させる。
【００６３】
例示的に、所定時間範囲は、３つの設定時間帯を含み、第１車種領域の第１個の設定時間帯における累積滞在時間長は、ｔ１であり、第１車種領域の第２個の設定時間帯における累積滞在時間長は、ｔ２であり、第１車種領域の第３個の設定時間帯における累積滞在時間長は、ｔ３である。そうすると、当該所定時間範囲内に、第１車種領域の累積滞在時間長の和は、ｔ１＋ｔ２＋ｔ３となる。
【００６４】
ステップＳ１０２では、前記複数の車種に対応する総滞在時間長に基づいて、前記複数の車種の人気度ランキング結果を特定する。
【００６５】
幾つかの実施例において、前記複数の車種に対応する総滞在時間長に基づいて、前記複数の車種の人気度ランキング結果を特定することは、
複数の車種に対応する総滞在時間長の長さを比較することと、
比較結果に基づいて車種の人気度ランキングを特定することと、を含む。
こうして、各車種領域でのターゲット人物の総滞在時間長を比較することにより、各車種の人気度を特定する。
ただし、滞在時間長の和が大きいほど、車種の人気度が大きくなり、車種の和が小さいほど、車種の人気度が小さくなる。
【００６６】
ステップＳ１０３では、前記複数の車種の人気度ランキング結果を端末へ送信する。
【００６７】
１種の実現可能方式において、前記方法は、
前記端末から送信された第１検索条件を受信するステップを更に含み、前記第１検索条件は、前記所定時間範囲を少なくとも含む。
前記所定時間範囲内で来訪した複数のターゲット人物の収集画像に基づいて、複数の車種に対応する総滞在時間長を特定することは、
前記第１検索条件に応答し、所定時間範囲内で来訪した複数のターゲット人物の収集画像に基づいて、複数の車種に対応する総滞在時間長を特定することを含む。
【００６８】
これにより、検索サービスを端末へ供給可能であり、ある時間範囲内における車種の人気度を端末へ供給可能であるため、従業員が車種の人気度に応じて仕事計画を策定することは、便利になり、顧客体験及び販売転化率は、向上する。
【００６９】
幾つかの実施例において、前記方法は、
各ターゲット人物の複数の車種に対する滞在時間長情報に基づいて、前記各ターゲット人物の注目車種を特定するステップを更に含む。
【００７０】
これにより、単一のターゲット人物の注目車種が特定され、ターゲット人物が次回来訪する際に、販売員がターゲット人物に対して対応性のあるサービスを供給することは、便利になり、ターゲット人物体験及び販売転換率は、向上する。
【００７１】
本実施例の前記技術案では、所定時間範囲内で来訪した複数のターゲット人物の収集画像に基づいて、複数の車種に対応する総滞在時間長を特定し、前記複数の車種に対応する総滞在時間長に基づいて、前記複数の車種の人気度ランキング結果を特定し、前記複数の車種の人気度ランキング結果を端末へ送信する。これにより、ターゲット人物の車種領域での滞在時間長に基づいて車種の人気度ランキングを特定するため、従業員が車種の人気度に応じて対応性のある仕事及びサービスを行うことに有利になり、顧客体験及び販売転換率を向上させる。
【００７２】
本発明の実施例は、端末に用いられるデータ処理方法を提供する。前記端末は、ユーザ機器（Ｕｓｅｒ  Ｅｑｕｉｐｍｅｎｔ、ＵＥ）、モバイル機器、ユーザ端末、携帯電話、コードレス電話、パーソナルデジタルアシスタント（Ｐｅｒｓｏｎａｌ  Ｄｉｇｉｔａｌ  Ａｓｓｉｓｔａｎｔ、ＰＤＡ）、ハンドヘルド機器、計算機器、車載機器、ウェアラブル機器等であってもよい。前記端末は、複数の車種の人気度ランキング結果を検索して受信する。図２に示すように、前記方法は、下記のステップを含む。
ステップＳ２０１では、サーバから送信された複数の車種の人気度ランキング結果を受信する。
【００７３】
ただし、前記車種の人気度は、前記サーバが所定時間範囲内における複数の車種に対応する総滞在時間長に基づいて取得したものである。
【００７４】
ステップＳ２０２では、前記複数の車種の人気度ランキング結果を表示する。
【００７５】
幾つかの実施例において、前記方法は、
前記所定時間範囲を少なくとも含む、第１検索条件を受信するステップと、
前記第１検索条件を前記サーバへ送信するステップと、を更に含む。
【００７６】
サーバは、端末から送信された第１検索条件を受信した後、前記第１検索条件に応答し、所定時間範囲内で来訪した複数のターゲット人物の収集画像に基づいて、複数の車種に対応する総滞在時間長を特定する。
【００７７】
これにより、検索条件に適応する車種人気度ランキングを端末へ供給可能であるため、従業員が車種の人気度に応じて対応性のある仕事及びサービスを行うことに有利になり、顧客体験及び販売転換率を向上させる。
【００７８】
１種の実現可能方式において、前記方法は、
ターゲット人物の識別子を少なくとも含む第２検索条件を受信するステップと、
サーバが前記第２検索条件に基づいて前記第１ターゲット人物の注目車種を特定するように、前記第２検索条件を前記サーバへ送信するステップとを更に含む。
【００７９】
例示的に、前記識別子は、身分証明書番号、携帯電話番号、ウィーチャット番号等である。
【００８０】
例示的に、前記識別子は、更に、ターゲット人物人顔又は人体特徴を含む画像であってもよい。
【００８１】
更に、前記方法は、
前記サーバから送信されたターゲット人物の注目車種を受信するステップと、
前記ターゲット人物の注目車種を表示するステップと、更に含む。
【００８２】
これにより、端末は、単一のターゲット人物の注目車種を検索可能であり、販売員がターゲット人物の注目車種に応じてターゲット人物に対して対応性のあるサービスを行うことは、便利になり、ターゲット人物体験及び販売転換率は、向上する。
【００８３】
図３は、車種人気度ディスプレイインターフェースを示す。図３に示すように、ディスプレイインターフェースには、店舗車種人気度ランキングがディスプレイされ、且つ、ディスプレイインターフェースには、リアルタイム客流人数、新旧ターゲット人物割合、年齢分布、性別分布等が更にディスプレイされている。
【００８４】
ただし、同一車種の滞在時間長の算出方式は、
全てのターゲット人物の所定時間帯内の各車種領域での滞在時間長を算出し、同一車種領域の滞在時間長を積算することを含む。
【００８５】
データのリアルタイム性が保証されるように、データストリーム処理の実施方式が採用され、毎日の各車種ごとに単独の１つの滞在時間長アキュムレータを設け、１日が終わったときに当該アキュムレータを統計する。
【００８６】
実際の応用において、端末は、時間範囲が過去のある日Ｄ１である検索条件を受信し、サーバは、当該検索条件に基づいてデータベースからＤ１における各車種の滞在時間長を選別し、順番付けた後で車種人気度ランキングを取得する。
実際の応用において、端末は、時間範囲が当日Ｄ−Ｃｕｒｒｅｎｔである検索条件を受信し、サーバは、当該検索条件に基づいてアキュムレータからＤ−Ｃｕｒｒｅｎｔにおける各車種の滞在時間長を選別し、順番付けた後で車種人気度ランキングを取得する。
実際の応用において、端末は、時間範囲がＤ１〜Ｄ２時間帯である検索条件を受信し、サーバは、当該検索条件に基づいてデータベース又はアキュムレータからＤ１〜Ｄ２の毎日の各車種の滞在時間長を選別し、車種別にグルーピングして積算して各車種の総滞在時間長を取得し、順番付けた後で車種人気度ランキングを取得する。
【００８７】
ディスプレイインターフェースにより、４Ｓ店の販売員及び店舗は、店舗のターゲット人物の各車種に対する注目度人気度を検知可能であり、店舗車種プッシュの需要及びマーケティングポリシーを組み合わせて、４Ｓ店内の車種のレイアウト及びマーケティング活動効果のフィードバックへデータサポートを供給可能であり、特に地域会社、ディーラー及び機器工場にとって、一歩も外に出なくても各店舗のターゲット人物グループの各車種に対する注目度の強さを遠隔で把握ことができ、経営ポリシー及び販売員／店舗の仕事の実績に対する評価を支える。
【００８８】
図３に示すディスプレイインターフェースが好適な具体的実施方式であるが、それに限定されないことは、理解されるべきである。
【００８９】
更に、図３に示すディスプレイインターフェースが単に本発明の実施例を例示するためのものであり、当業者が図３の例を基に各種の自明な変化および／又は置換を行うことができ、得られた技術案が依然として本発明の実施例の開示範囲に属することは、理解されるべきである。
【００９０】
上記データ処理方法に対応し、本発明の実施例は、データ処理装置を提供する。図４に示すように、前記装置は、第１特定モジュール１０と、第２特定モジュール２０と、送信処理モジュール３０とを備える。
第１特定モジュール１０は、所定時間範囲内で来訪した複数のターゲット人物の収集画像に基づいて、複数の車種に対応する総滞在時間長を特定するように構成される。
第２特定モジュール２０は、前記複数の車種に対応する総滞在時間長に基づいて、前記複数の車種の人気度ランキング結果を特定するように構成される。
送信処理モジュール３０は、前記複数の車種の人気度ランキング結果を端末へ送信するように構成される。
【００９１】
１種の実現可能方式において、前記装置は、第３特定モジュール４０を更に備える。
第３特定モジュール４０は、各ターゲット人物の複数の車種に対する滞在時間長情報に基づいて、前記各ターゲット人物の注目車種を特定するように構成される。
【００９２】
幾つかの実施例において、前記第２特定モジュール２０は、
前記複数の収集画像中で出現したターゲット人物の位置情報と前記複数の車種に対応する車種領域の予め設定した位置情報とに基づいて、前記ターゲット人物の所在する車種領域を特定し、
前記収集画像の収集時間と前記ターゲット人物の所在する車種領域とに基づいて、前記複数の収集画像に出現したターゲット人物の複数の車種に対する滞在時間長を特定するように構成される。
【００９３】
幾つかの実施例において、前記第２特定モジュール２０は、
前記ターゲット人物の隣接な出現に対応する所在車種領域が同じであり且つ前記隣接な出現に対応する時間差が所定時間閾値以下であることに応答して、前記隣接な出現に対応する時間差を前記ターゲット人物の前記所在車種領域での滞在時間長に算入するように構成される。
【００９４】
幾つかの実施例において、前記第２特定モジュール２０は、
前記ターゲット人物の隣接な出現に対応する所在車種領域が同じであり且つ前記隣接な出現に対応する時間差が所定時間閾値よりも大きいことに応答して、前記隣接な出現に対応する時間差を前記ターゲット人物の前記所在車種領域での滞在時間長に算入しないと特定するように構成される。
【００９５】
幾つかの実施例において、前記第２特定モジュール２０は、配置手段と、制御手段と、特定手段とを備える。
配置手段は、前記複数の車種に対応する複数の車種領域のうちの各車種領域ごとに、独立したアキュムレータを配置するように構成される。
制御手段は、設定時間帯を単位として、前記車種領域に出現したターゲット人物の滞在時間長を前記アキュムレータを介して積算することにより、前記設定時間帯内の前記車種領域の累積滞在時間長を取得するように構成される。
特定手段は、前記設定時間範囲内の少なくとも１つの前記設定時間帯の前記車種領域の累積滞在時間長を積算し、前記車種領域の総滞在時間長を取得するように構成される。
【００９６】
更に、前記制御手段は、更に、
前記設定時間帯がタイムアウトしたことに応答して、前記アキュムレータをリセットするように構成される。
【００９７】
幾つかの実施例において、前記装置は、受信処理モジュール５０を更に備える。
受信処理モジュール５０は、前記端末から送信された第１検索条件を受信するように構成される。前記第１検索条件は、前記所定時間範囲を少なくとも含む。
前記第２特定モジュール２０は、更に、前記第１検索条件に応答し、所定時間範囲内で来訪した複数のターゲット人物の収集画像に基づいて、複数の車種に対応する総滞在時間長を特定するように構成される。
【００９８】
当業者であれば理解できるように、図４に示すデータ処理装置における各処理モジュールの実現機能は、上記データ処理方法の関連記述を参照して理解され得る。図４に示すデータ処理装置における各処理手段の機能がプロセッサで運転されるプログラムによって実現されてもよく、具体的な論理回路によって実現されてもよいことは、当業者に理解されるべきである。
【００９９】
実際の応用では、上記第１特定モジュール１０、第２特定モジュール２０、送信処理モジュール３０、第３特定モジュール４０及び受信処理モジュール５０の具体的な構造は、何れもプロセッサに対応可能である。前記プロセッサの具体的な構造は、中央処理装置（ＣＰＵ、Ｃｅｎｔｒａｌ  Ｐｒｏｃｅｓｓｉｎｇ  Ｕｎｉｔ）、マイクロプロセッサ（ＭＣＵ、Ｍｉｃｒｏ  Ｃｏｎｔｒｏｌｌｅｒ  Ｕｎｉｔ）、デジタル信号プロセッサ（ＤＳＰ、Ｄｉｇｉｔａｌ  Ｓｉｇｎａｌ  Ｐｒｏｃｅｓｓｉｎｇ）又はプログラマブル論理デバイス（ＰＬＣ、Ｐｒｏｇｒａｍｍａｂｌｅ  Ｌｏｇｉｃ  Ｃｏｎｔｒｏｌｌｅｒ）等の処理機能を有する電子デバイス又は電子デバイスの集合であってもよい。ただし、前記プロセッサは、実行可能コードを含み、前記実行可能コードは、記憶媒体に記憶され、前記プロセッサは、バス等の通信インターフェースを介して前記記憶媒体に接続可能であり、具体的な各手段の対応機能を実行するときに、前記実行可能コードを前記記憶媒体から読み取って運転させる。前記記憶媒体における前記実行可能コードを記憶するための部分は、非一時記憶媒体であることが好ましい。
【０１００】
本発明の実施例に係るデータ処理装置では、ターゲット人物の車種に対する総滞在時間長に基づいて各車種の人気度を特定可能であるため、従業員が車種の人気度に応じて対応性のある仕事及びサービスを行うことに有利になり、顧客体験及び販売転換率を向上させる。
【０１０１】
本発明の実施例は、データ処理装置を更に提供する。前記装置は、メモリと、プロセッサと、メモリに記憶されてプロセッサで運転され得るコンピュータプログラムとを含み、前記プロセッサは、前記プログラムを実行したときに上記何れか一項の技術案に供されるデータ処理方法を実施する。
【０１０２】
１種の実施形態として、前記プロセッサは、前記プログラムを実行したときに、
所定時間範囲内で来訪した複数のターゲット人物の収集画像に基づいて、複数の車種に対応する総滞在時間長を特定することと、
前記複数の車種に対応する総滞在時間長に基づいて、前記複数の車種の人気度ランキング結果を特定することと、
前記複数の車種の人気度ランキング結果を端末へ送信することと、を実施させる。
１種の実施形態として、前記プロセッサは、前記プログラムを実行したときに、
各ターゲット人物の複数の車種に対する滞在時間長情報に基づいて、前記各ターゲット人物の注目車種を特定することを実施させる。
１種の実施形態として、前記プロセッサは、前記プログラムを実行したときに、
前記複数の収集画像中で出現したターゲット人物の位置情報と前記複数の車種に対応する車種領域の予め設定した位置情報とに基づいて、前記ターゲット人物の所在する車種領域を特定することと、
前記収集画像の収集時間と前記ターゲット人物の所在する車種領域とに基づいて、前記複数の収集画像に出現したターゲット人物の複数の車種に対する滞在時間長を特定することと、を実施させる。
【０１０３】
１種の実施形態として、前記プロセッサは、前記プログラムを実行したときに、
前記ターゲット人物の隣接な出現に対応する所在車種領域が同じであり且つ前記隣接な出現に対応する時間差が所定時間閾値以下であることに応答して、前記隣接な出現に対応する時間差を前記ターゲット人物の前記対応する車種領域での滞在時間長に算入する。
【０１０４】
１種の実施形態として、前記プロセッサは、前記プログラムを実行したときに、
前記ターゲット人物の隣接な出現に対応する時間差が所定時間閾値よりも大きいことに応答して、前記隣接な出現に対応する時間差を前記ターゲット人物の前記対応する車種領域での滞在時間長に算入しないと特定することを実施させる。
【０１０５】
１種の実施形態として、前記プロセッサは、前記プログラムを実行したときに、
前記複数の車種に対応する複数の車種領域のうちの各車種領域ごとに、独立したアキュムレータを配置することと、
設定時間帯を単位として、前記車種領域に出現したターゲット人物の滞在時間長を前記アキュムレータを介して積算することにより、前記設定時間帯内の前記車種領域の累積滞在時間長を取得することと、
前記設定時間範囲内の少なくとも１つの前記設定時間帯の前記車種領域の累積滞在時間長を積算し、前記車種領域の総滞在時間長を取得することと、を実施させる。
【０１０６】
１種の実施形態として、前記プロセッサは、前記プログラムを実行したときに、
前記設定時間帯がタイムアウトしたことに応答して、前記アキュムレータをリセットすることを実施させる。
【０１０７】
１種の実施形態として、前記プロセッサは、前記プログラムを実行したときに、
前記端末から送信された、前記所定時間範囲を少なくとも含む第１検索条件を受信することと、
前記第１検索条件に応答し、所定時間範囲内で来訪した複数のターゲット人物の収集画像に基づいて、複数の車種に対応する総滞在時間長を特定することと、を実施させる。
【０１０８】
本発明の実施例に係るデータ処理装置では、ターゲット人物の車種領域での滞在時間長に基づいて各車種の人気度を特定可能であるため、従業員が車種の人気度に応じて対応性のある仕事及びサービスを行うことに有利になり、顧客体験及び販売転換率を向上させる。
【０１０９】
上記データ処理方法に対応し、本発明の実施例は、データ処理装置を提供する。図５に示すように、前記装置は、通信モジュール６０と、表示処理モジュール７０とを備える。
通信モジュール６０は、サーバから送信された複数の車種の人気度ランキング結果を受信するように構成される。
表示処理モジュール７０は、前記複数の車種の人気度ランキング結果を表示するように構成される。
ただし、前記車種の人気度は、前記サーバが所定時間範囲内における複数の車種に対応する総滞在時間長に基づいて取得したものである。
【０１１０】
幾つかの実施例において、前記装置は、入力モジュール８０を更に備える。
入力モジュール８０は、第１検索条件を受信するように構成され、前記第１検索条件は、前記所定時間範囲を少なくとも含む。
前記通信モジュール６０は、更に、前記第１検索条件を前記サーバへ送信するように構成される。
【０１１１】
当業者であれば理解できるように、図５に示すデータ処理装置における各処理モジュールの実現機能は、上記データ処理方法の関連記述を参照して理解され得る。図５に示すデータ処理装置における各処理手段の機能がプロセッサで運転されるプログラムによって実現されてもよく、具体的な論理回路によって実現されてもよいことは、当業者に理解されるべきである。
【０１１２】
実際の応用では、上記通信モジュール６０、表示処理モジュール７０及び入力モジュール８０の具体的な構造は、何れもプロセッサに対応可能である。前記プロセッサの具体的な構造は、ＣＰＵ、ＭＣＵ、ＤＳＰ又はＰＬＣ等の処理機能を有する電子デバイス又は電子デバイスの集合であってもよい。ただし、前記プロセッサは、実行可能コードを含み、前記実行可能コードは、記憶媒体に記憶され、前記プロセッサは、バス等の通信インターフェースを介して前記記憶媒体に接続可能であり、具体的な各手段の対応機能を実行するときに、前記実行可能コードを前記記憶媒体から読み取って運転させる。前記記憶媒体における前記実行可能コードを記憶するための部分は、非一時記憶媒体であることが好ましい。
【０１１３】
本発明の実施例に係るデータ処理装置では、検索条件に適応する車種人気度ランキングを端末へ供給可能であるため、従業員が車種の人気度に応じて対応性のある仕事及びサービスを行うことに有利になり、顧客体験及び販売転換率を向上させる。
【０１１４】
本発明の実施例は、データ処理装置を更に提供する。前記データ処理装置は、メモリと、プロセッサと、メモリに記憶されてプロセッサで運転され得るコンピュータプログラムとを含み、前記プロセッサは、前記プログラムを実行したときに上記何れか一項の技術案に供されるデータ処理方法を実施する。
【０１１５】
１種の実施形態として、前記プロセッサは、前記プログラムを実行したときに、
サーバから送信された複数の車種の人気度ランキング結果を受信することと、
前記複数の車種の人気度ランキング結果を表示することと、を実施させる。
ただし、前記車種の人気度は、前記サーバが所定時間範囲内における複数の車種に対応する総滞在時間長に基づいて取得したものである。
１種の実施形態として、前記プロセッサは、前記プログラムを実行したときに、
前記所定時間範囲を少なくとも含む第１検索条件を受信することと、
前記第１検索条件を前記サーバへ送信することと、を実施させる。
【０１１６】
当業者であれば理解できるように、図５に示すデータ処理装置における各処理モジュールの実現機能は、上記データ処理方法の関連記述を参照して理解され得る。図５に示すデータ処理装置における各処理手段の機能がプロセッサで運転されるプログラムによって実現されてもよく、具体的な論理回路によって実現されてもよいことは、当業者に理解されるべきである。
【０１１７】
本発明の実施例に係るデータ処理装置では、検索条件に適応する車種人気度ランキングを端末へ供給可能であるため、従業員が車種の人気度に応じて対応性のある仕事及びサービスを行うことに有利になり、顧客体験及び販売転換率を向上させる。
【０１１８】
本発明の実施例は、コンピュータ記憶媒体を更に提供する。前記コンピュータ記憶媒体には、コンピュータ実行可能指令が記憶され、前記コンピュータ実行可能指令は、上記各実施例に記載のサーバに用いられるデータ処理方法を実行するために用いられる。つまり、前記コンピュータ実行可能指令がプロセッサによって実行された後、上記何れか一項の技術案に供されるサーバに用いられるデータ処理方法は、実施可能である。
【０１１９】
当業者であれば理解できるように、本実施例のコンピュータ記憶媒体における各プログラムの機能は、上記各実施例に記載のサーバに用いられるデータ処理方法の関連記述を参照して理解され得る。
【０１２０】
本発明の実施例は、コンピュータ記憶媒体を更に提供する。前記コンピュータ記憶媒体には、コンピュータ実行可能指令が記憶され、前記コンピュータ実行可能指令は、上記各実施例に記載の端末に用いられるデータ処理方法を実行するために用いられる。つまり、前記コンピュータ実行可能指令がプロセッサによって実行された後、上記何れか一項の技術案に供される端末に用いられるデータ処理方法は、実施可能である。
【０１２１】
当業者であれば理解できるように、本実施例のコンピュータ記憶媒体における各プログラムの機能は、上記各実施例に記載の端末に用いられるデータ処理方法の関連記述を参照して理解され得る。当該コンピュータ記憶媒体は、揮発性コンピュータ可読記憶媒体又は不揮発性コンピュータ可読記憶媒体であってもよい。
【０１２２】
本発明の実施例は、コンピュータプログラム製品を更に提供する。当該コンピュータプログラム製品は、コンピュータ可読コードを含む。コンピュータ可読コードが機器上で運転されたときに、機器におけるプロセッサは、上記何れか１つの実施例に供されるデータ処理方法を実施する。
【０１２３】
当該上記コンピュータプログラム製品は、具体的にハードウェア、ソフトウェアまたはそれらの組み合わせで実現されてもよい。ある好適な実施例において、前記コンピュータプログラム製品は、コンピュータ記憶媒体として具現化されてもよく、別の好適な実施例において、コンピュータプログラム製品は、ソフトウェア製品、例えばソフトウェア開発キット（Ｓｏｆｔｗａｒｅ  Ｄｅｖｅｌｏｐｍｅｎｔ  Ｋｉｔ、ＳＤＫ）等として具現化される。
【０１２４】
当業者であれば理解できるように、本実施例のコンピュータ記憶媒体における各プログラムの機能は、上記各実施例に記載のデータ処理方法の関連記述を参照して理解され得る。
【０１２５】
図６は、本発明の別の実施例のデータ処理装置の構造模式図である。データ処理装置６００は、携帯電話、コンピュータ、デジタル放送端末、情報送受信機器、ゲームコンソール、タブレット機器、医療機器、フィットネス機器、パーソナルデジタルアシスタント等であってもよい。図６に示すデータ処理装置６００は、少なくとも１つのプロセッサ６０１、メモリ６０２、少なくとも１つのネットワークインターフェース６０４及びユーザインターフェース６０３を備える。データ処理装置６００における各ユニットは、バスシステム６０５を介して結合される。理解できるように、バスシステム６０５は、これらのユニットの間の接続通信を実施する。バスシステム６０５は、データバスの他に、電源バス、制御バス及び状態信号バスも含む。しかし、明瞭に説明されるように、図６に、各種のバスは、バスシステム６０５と記される。
【０１２６】
ただし、ユーザインターフェース６０３は、表示器、キーボード、マウス、トラックボール、クリックホイール、キー、ボタン、タッチパネル又はタッチスクリーン等を含んでもよい。
【０１２７】
理解できるように、メモリ６０２は、揮発性メモリ又は不揮発性メモリであってもよく、揮発性及び不揮発性メモリの両者を含んでもよい。ただし、不揮発性メモリは、読み出し専用メモリ（ＲＯＭ、Ｒｅａｄ  Ｏｎｌｙ  Ｍｅｍｏｒｙ）、プログラマブル読み出し専用メモリ（ＰＲＯＭ、Ｐｒｏｇｒａｍｍａｂｌｅ  Ｒｅａｄ−Ｏｎｌｙ  Ｍｅｍｏｒｙ）、消去可能なプログラマブル読み出し専用メモリ（ＥＰＲＯＭ、Ｅｒａｓａｂｌｅ  Ｐｒｏｇｒａｍｍａｂｌｅ  Ｒｅａｄ−Ｏｎｌｙ  Ｍｅｍｏｒｙ）、電気的に消去可能なプログラマブル読み出し専用メモリ（ＥＥＰＲＯＭ、Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、磁気ランダムアクセスメモリ（ＦＲＡＭ（登録商標）、ｆｅｒｒｏｍａｇｎｅｔｉｃ  ｒａｎｄｏｍ  ａｃｃｅｓｓ  ｍｅｍｏｒｙ）、フラッシュメモリ（Ｆｌａｓｈ  Ｍｅｍｏｒｙ）、磁気表面記憶手段、光ディスク、又は読み出し専用光ディスク（ＣＤ−ＲＯＭ、Ｃｏｍｐａｃｔ  Ｄｉｓｃ  Ｒｅａｄ−Ｏｎｌｙ  Ｍｅｍｏｒｙ）であってもよい。磁気表面記憶手段は、磁気ディスク又は磁気テープであってもよい。揮発性メモリは、ランダムアクセスメモリ（ＲＡＭ、Ｒａｎｄｏｍ  Ａｃｃｅｓｓ  Ｍｅｍｏｒｙ）であってもよく、それは、外部キャッシュとして用いられる。制限的な説明ではなく例示的な説明により、多くの形態のＲＡＭ、例えばスタティックランダムアクセスメモリ（ＳＲＡＭ、Ｓｔａｔｉｃ  Ｒａｎｄｏｍ  Ａｃｃｅｓｓ  Ｍｅｍｏｒｙ）、同期スタティックランダムアクセスメモリ（ＳＳＲＡＭ、Ｓｙｎｃｈｒｏｎｏｕｓ  Ｓｔａｔｉｃ  Ｒａｎｄｏｍ  Ａｃｃｅｓｓ  Ｍｅｍｏｒｙ）、ダイナミックランダムアクセスメモリ（ＤＲＡＭ、Ｄｙｎａｍｉｃ  Ｒａｎｄｏｍ  Ａｃｃｅｓｓ  Ｍｅｍｏｒｙ）、同期ダイナミックランダムアクセスメモリ（ＳＤＲＡＭ、Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、ダブルデータレート同期ダイナミックランダムアクセスメモリ（ＤＤＲＳＤＲＡＭ、Ｄｏｕｂｌｅ  Ｄａｔａ  Ｒａｔｅ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、拡張型同期ダイナミックランダムアクセスメモリ（ＥＳＤＲＡＭ、Ｅｎｈａｎｃｅｄ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、同期リンクダイナミックランダムアクセスメモリ（ＳＬＤＲＡＭ、Ｓｙｎｃ  Ｌｉｎｋ  Ｄｙｎａｍｉｃ  Ｒａｎｄｏｍ  Ａｃｃｅｓｓ  Ｍｅｍｏｒｙ）、直接内存バスランダムアクセスメモリ（ＤＲＲＡＭ、Ｄｉｒｅｃｔ  Ｒａｍｂｕｓ  Ｒａｎｄｏｍ  Ａｃｃｅｓｓ  Ｍｅｍｏｒｙ）は、利用可能である。本発明の実施例に記述されたメモリ６０２は、これら及び任意の他の適切なタイプのメモリを含むがそれらに限定されないことを意図する。
【０１２８】
本発明の実施例におけるメモリ６０２は、各種のタイプのデータを記憶することでデータ処理装置６００の操作をサポートする。これらのデータの例示は、データ処理装置６００で操作される如何なるコンピュータプログラム（例えば、オペレーティングシステム６０２１及びアプリケーションプログラム７０２２）、連絡者データ、電話帳データ、メッセージ、ピクチャ、ビデオ等を含む。ただし、オペレーティングシステム６０２１は、各種の基本サービスを実現し且つハードウェアに基づくタスクを処理するための、各種のシステムプログラム、例えばフレームワーク層、コアライブラリ層、ドライバ層等を含む。アプリケーションプログラム６０２２は、各種の応用サービスを実施するための、各種のアプリケーションプログラム、例えばメディアプレイヤー（Ｍｅｄｉａ  Ｐｌａｙｅｒ）、ブラウザ（Ｂｒｏｗｓｅｒ）等を含んでもよい。本発明の実施例方法を実施するためのプログラムは、アプリケーションプログラム６０２２に含まれてもよい。
【０１２９】
上記本発明の実施例に開示された方法は、プロセッサ６０１に適用されてもよく、又はプロセッサ６０１によって実施される。プロセッサ６０１は、集積回路チップであってもよく、信号処理能力を有する。実施中において、上記方法の各ステップは、プロセッサ６０１におけるハードウェアの集積論理回路又はソフトウェア形態の指令にて完成され得る。上記プロセッサ６０１は、汎用プロセッサ、デジタル信号プロセッサ（ＤＳＰ、Ｄｉｇｉｔａｌ  Ｓｉｇｎａｌ  Ｐｒｏｃｅｓｓｏｒ）、又は他のプログラム可能な論理デバイス、ディスクリートゲート又はトランジスタ論理デバイス、ディスクリートハードウェアユニット等であってもよい。プロセッサ６０１は、本発明の実施例に開示された各方法、ステップ及び論理ブロック図を実施や実行可能である。汎用プロセッサは、マイクロプロセッサ又は通常の如何なるプロセッサ等であってもよい。本発明の実施例に公開された方法のステップを組み合わせると、ハードウェア復号プロセッサの実行完了、又は復号プロセッサにおけるハードウェア及びソフトウェアモジュールの組み合わせによる実行完了として直接体現されてもよい。ソフトウェアモジュールは、記憶媒体に位置してもよく、当該記憶媒体は、メモリ６０２に位置する。プロセッサ６０１は、メモリ６０２における情報を読み取り、そのハードウェアを組み合わせると、上記方法のステップを完了する。
【０１３０】
例示的な実施例において、データ処理装置６００は、上記方法を実行するための、１つ又は複数の特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ、プログラマブルロジックデバイス（ＰＬＤ、Ｐｒｏｇｒａｍｍａｂｌｅ  Ｌｏｇｉｃ  Ｄｅｖｉｃｅ）、複雑なプログラマブルロジックデバイス（ＣＰＬＤ、Ｃｏｍｐｌｅｘ  Ｐｒｏｇｒａｍｍａｂｌｅ  Ｌｏｇｉｃ  Ｄｅｖｉｃｅ）、フィールドプログラマブルゲートアレイ（ＦＰＧＡ、Ｆｉｅｌｄ−Ｐｒｏｇｒａｍｍａｂｌｅ  Ｇａｔｅ  Ａｒｒａｙ）、汎用プロセッサ、コントローラ、マイクロコントローラ（ＭＣＵ、Ｍｉｃｒｏ  Ｃｏｎｔｒｏｌｌｅｒ  Ｕｎｉｔ）、マイクロプロセッサ（Ｍｉｃｒｏｐｒｏｃｅｓｓｏｒ）、又は他の電子部品によって実現される。
【０１３１】
本発明に係る幾つかの実施例において、開示された機器及び方法が他の方式にて実現され得ることは、理解されるべきである。上述した機器実施例が単に模式的なものであり、例えば、前記手段の区分が、単に１種の論理機能区分であり、実際に実施するときに別の区分方式もあり得る。例えば、複数の手段或いはユニットは、組み合わせられてもよく、または、別のシステムに統合されてもよく、または、幾つかの特徴が略され、若しくは実行しないようにしてもよい。また、示され或いは議論された各構成部分同士間は、結合が直接結合であってもよく、通信接続が幾つかのインターフェース、機器或いは手段を介する間接結合若しくは通信接続であってもよく、電気的なもの、機械的なもの或いは他の形態であってもよい。
【０１３２】
上記分離部品として説明された手段が物理的に分離されるものであってもよくでなくてもよい。また、手段として表示された部品は、物理手段であってもでなくてもよい。更に、それらの手段は、１箇所に位置してもよく、複数のネットワークセルに分散してもよい。実際の需要に応じてその中の一部または全部の手段を選択して本実施例の目的を果たすことが可能である。
【０１３３】
また、本発明の各実施例における各機能手段は、全部で１つの処理手段に集積されてもよく、各手段がそれぞれ単独で１つの手段とされてもよく、２つ或いは２つ以上の手段が１つの手段に集積されてもよい。上記集積手段は、ハードウェアの形態にて実現されてよく、ハードウェアプラスソフトウェア機能手段の形態にて実現されてもよい。
【０１３４】
当業者であれば理解できるように、上記方法実施例を実施する全部または一部のステップは、プログラム指令に関連するハードウェアにて実施され得る。上記プログラムは、コンピュータ読み取り可能な記憶媒体に記憶されてもよい。当該プログラムが実行されたときに、上記方法実施例のステップは実施される。上記記憶媒体は、モバイル記憶機器、読み取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶可能な各種の媒体を含む。
【０１３５】
又は、本発明の上記集積の手段は、ソフトウェア機能モジュールの形態で実施され且つ独立した製品として販売や使用されるときに、１つのコンピュータ読み取り可能な記憶媒体に記憶されてもよい。このような理解を基に、本発明の実施例の技術案は、本質上又は従来技術に対して貢献に値する部分が、ソフトウェア製品の形態で体現されてもよい。当該コンピュータソフトウェア製品は、１つの記憶媒体に記憶され、１台のコンピュータ機器（パソコン、サーバ又はネットワーク機器等であってもよい）が本発明の各実施例に記載方法の全部または一部を実行するために用いられる幾つかの指令を含む。上記記憶媒体は、モバイル記憶機器、ＲＯＭ、ＲＡＭ、磁気ディスク又は光ディスク等のプログラムコードを記憶可能な各種の媒体を含む。
【０１３６】
上述したのは、単に本発明の具体的な実施形態に過ぎない。しかし、本発明の保護範囲は、これに限定されない。本技術分野に精通している如何なる技術者も本発明に開示された技術範囲内で簡単に想到する変化や置換は、何れも本発明の保護範囲内に含まれるべきである。したがって、本発明の保護範囲は、前記請求項の保護範囲に準じるべきである。
【０１３７】
本発明の実施例に係る技術案では、所定時間範囲内で来訪した複数のターゲット人物の収集画像に基づいて、複数の車種に対応する総滞在時間長を特定し、前記複数の車種に対応する総滞在時間長に基づいて、前記複数の車種の人気度ランキング結果を特定し、前記複数の車種の人気度ランキング結果を端末へ送信する。これにより、ターゲット人物の車種領域での滞在時間長に基づいて車種の人気度ランキングを特定するため、従業員が車種の人気度に応じて対応性のある仕事及びサービスを行うことに有利になり、顧客体験及び販売転換率を向上させる。
【図１】
2022500718.tif 000003
【図２】
2022500718.tif 000004
【図３】
2022500718.tif 000005
【図４】
2022500718.tif 000006
【図５】
2022500718.tif 000007
【図６】
2022500718.tif 000008
【手続補正書】
【提出日】令和2年12月15日(2020.12.15)
【手続補正１】
【補正対象書類名】明細書
【補正対象項目名】００３１
【補正方法】変更
【補正の内容】
【００３１】
ここでの図面は、明細書に組み込まれて明細書の一部を構成し、本発明に合致する実施例を示しつつ、明細書の記載とともに本発明の技術案を説明するために用いられる。
図面を参照し、以下の詳細な記述により、本発明をより明瞭に理解できるのだろう。
【図１】本発明の実施例に係るデータ処理方法の実施フローの模式図１である。
【図２】本発明の実施例に係るデータ処理方法の実施フローの模式図２である。
【図３】本発明の実施例に係る車種人気度ディスプレイインターフェースの模式図である。
【図４】本発明の実施例に係るデータ処理装置の構成の模式図１である。
【図５】本発明の実施例に係るデータ処理装置の構成の模式図２である。
【図６】本発明の実施例に係るデータ処理を実施する装置のブロック図である。
【手続補正２】
【補正対象書類名】明細書
【補正対象項目名】００４０
【補正方法】変更
【補正の内容】
【００４０】
ステップＳ１０１では、所定時間範囲内で来訪した複数のターゲット人物の収集画像に基づいて、複数の車種毎に対応する総滞在時間長を特定する。
【手続補正３】
【補正対象書類名】明細書
【補正対象項目名】００４１
【補正方法】変更
【補正の内容】
【００４１】
ただし、複数の車種毎に対応する総滞在時間長は、複数の車種のうちの各車種に対するポインタの総滞在時間長である。異なる車種に対応する総滞在時間長が異なる可能性はある。
【手続補正４】
【補正対象書類名】明細書
【補正対象項目名】００４３
【補正方法】変更
【補正の内容】
【００４３】
ただし、車種の滞在時間長の和が大きいほど、車種の人気度は、大きくなり、車種の滞在時間長の和が小さいほど、車種の人気度は、小さくなる。
【手続補正５】
【補正対象書類名】明細書
【補正対象項目名】００４８
【補正方法】変更
【補正の内容】
【００４８】
幾つかの実施形態において、前記複数の車種毎に対応する総滞在時間長を特定することは、
前記複数の収集画像中で出現したターゲット人物の位置情報と前記複数の車種に対応する車種領域の予め設定した位置情報とに基づいて、前記ターゲット人物の所在する車種領域を特定することと、
前記収集画像の収集時間と前記ターゲット人物の所在する車種領域とに基づいて、前記複数の収集画像に出現したターゲット人物の複数の車種に対する滞在時間長を特定することと、を含む。
【手続補正６】
【補正対象書類名】明細書
【補正対象項目名】００５８
【補正方法】変更
【補正の内容】
【００５８】
例示として、バックエンドサーバは、第１分に、ターゲット人物Ｃに関する来訪情報（具体的に、ターゲット人物Ｃが９：０１に第１車種領域に出現したことを含む）を受信し、第２分に、ターゲット人物Ｃに関する来訪情報（具体的に、ターゲット人物Ｃが９：０２に第１車種領域に出現したことを含む）を受信し、第３分、第４分、第５分、第６分及び第７分の何れにも、ターゲット人物Ｃに関するパケットを受信しなかった。そうすると、バックエンドサーバは、ターゲット人物Ｃの第１車種領域での滞在時間長が１分間であると判定する。
【手続補正７】
【補正対象書類名】明細書
【補正対象項目名】００６０
【補正方法】変更
【補正の内容】
【００６０】
幾つかの実施形態において、前記所定時間範囲内で来訪した複数のターゲット人物の収集画像に基づいて、複数の車種毎に対応する総滞在時間長を特定することは、
前記複数の車種毎に対応する複数の車種領域のうちの各車種領域ごとに、独立したアキュムレータを配置することと、
設定時間帯を単位として、前記車種領域に出現したターゲット人物の滞在時間長を前記アキュムレータを介して積算することにより、前記設定時間帯内の前記車種領域の累積滞在時間長を取得することと、
前記設定時間範囲内の少なくとも１つの前記設定時間帯の前記車種領域の累積滞在時間長を積算し、前記車種領域の総滞在時間長を取得することと、を含む。
【手続補正８】
【補正対象書類名】明細書
【補正対象項目名】００６２
【補正方法】変更
【補正の内容】
【００６２】
データのリアルタイム性が保証されるように、設定時間帯が１日であることを例とすると、毎日の各車種領域ごとに単独の１つのアキュムレータを設け、１日が終わったときに当該アキュムレータの積算によって得られた数値を記憶し、その後当該アキュムレータをリセットすることにより、次の日のターゲット人物滞在時間長を便利に統計させる。
【手続補正９】
【補正対象書類名】明細書
【補正対象項目名】００６４
【補正方法】変更
【補正の内容】
【００６４】
ステップＳ１０２では、前記複数の車種毎に対応する総滞在時間長に基づいて、前記複数の車種の人気度ランキング結果を特定する。
【手続補正１０】
【補正対象書類名】明細書
【補正対象項目名】００６５
【補正方法】変更
【補正の内容】
【００６５】
幾つかの実施例において、前記複数の車種毎に対応する総滞在時間長に基づいて、前記複数の車種の人気度ランキング結果を特定することは、
複数の車種に対応する総滞在時間長の長さを比較することと、
比較結果に基づいて車種の人気度ランキングを特定することと、を含む。
こうして、各車種領域でのターゲット人物の総滞在時間長を比較することにより、各車種の人気度を特定する。
ただし、車種の滞在時間長の和が大きいほど、車種の人気度が大きくなり、車種の滞在時間長の和が小さいほど、車種の人気度が小さくなる。
【手続補正１１】
【補正対象書類名】明細書
【補正対象項目名】００６７
【補正方法】変更
【補正の内容】
【００６７】
１種の実現可能方式において、前記方法は、
前記端末から送信された第１検索条件を受信するステップを更に含み、前記第１検索条件は、前記所定時間範囲を少なくとも含む。
前記所定時間範囲内で来訪した複数のターゲット人物の収集画像に基づいて、複数の車種に対応する総滞在時間長を特定することは、
前記第１検索条件に応答し、所定時間範囲内で来訪した複数のターゲット人物の収集画像に基づいて、複数の車種毎に対応する総滞在時間長を特定することを含む。
【手続補正１２】
【補正対象書類名】明細書
【補正対象項目名】００７３
【補正方法】変更
【補正の内容】
【００７３】
ただし、前記車種の人気度は、前記サーバが所定時間範囲内における複数の車種毎に対応する総滞在時間長に基づいて取得したものである。
【手続補正１３】
【補正対象書類名】明細書
【補正対象項目名】００８３
【補正方法】変更
【補正の内容】
【００８３】
図３は、車種人気度ディスプレイインターフェースを示す。図３に示すように、ディスプレイインターフェースには、店舗車種人気度ランキングがディスプレイされ、且つ、ディスプレイインターフェースには、リアルタイム客流人数、新旧顧客割合、年齢分布、性別分布等が更にディスプレイされている。
【手続補正１４】
【補正対象書類名】特許請求の範囲
【補正対象項目名】全文
【補正方法】変更
【補正の内容】
【特許請求の範囲】
【請求項１】
サーバに用いられるデータ処理方法であって、
所定時間範囲内で来訪した複数のターゲット人物の収集画像に基づいて、複数の車種毎に対応する総滞在時間長を特定するステップと、
前記複数の車種毎に対応する総滞在時間長に基づいて、前記複数の車種の人気度ランキング結果を特定するステップと、
前記複数の車種の人気度ランキング結果を端末へ送信するステップと、を含む
ことを特徴とするデータ処理方法。
【請求項２】
各ターゲット人物の複数の車種に対する滞在時間長情報に基づいて、前記各ターゲット人物の注目車種を特定するステップを更に含む
ことを特徴とする請求項１に記載のデータ処理方法。
【請求項３】
前記複数の車種毎に対応する総滞在時間長を特定するステップは、
前記複数の収集画像中で出現したターゲット人物の位置情報と前記複数の車種毎に対応する車種領域の予め設定した位置情報とに基づいて、前記ターゲット人物の所在する車種領域を特定することと、
前記収集画像の収集時間と前記ターゲット人物の所在する車種領域とに基づいて、前記複数の収集画像に出現したターゲット人物の複数の車種に対する滞在時間長を特定することと、を含む
ことを特徴とする請求項１又は２に記載のデータ処理方法。
【請求項４】
前記複数の車種毎に対応する総滞在時間長を特定するステップは、
前記ターゲット人物の隣接な出現に対応する車種領域が同じであり且つ前記隣接な出現に対応する時間差が所定時間閾値以下であることに応答して、前記隣接な出現に対応する時間差を前記ターゲット人物の前記対応する車種領域での滞在時間長に算入すること、または、
前記ターゲット人物の隣接な出現に対応する時間差が所定時間閾値よりも大きいことに応答して、前記隣接な出現に対応する時間差を前記ターゲット人物の前記対応する車種領域での滞在時間長に算入しないと特定することを含む
ことを特徴とする請求項３に記載のデータ処理方法。
【請求項５】
前記所定時間範囲内で来訪した複数のターゲット人物の収集画像に基づいて、複数の車種に対応する総滞在時間長を特定するステップは、
前記複数の車種に対応する複数の車種領域のうちの各車種領域ごとに、独立したアキュムレータを配置することと、
設定時間帯を単位として、前記車種領域に出現したターゲット人物の滞在時間長を前記アキュムレータを介して積算することにより、前記設定時間帯内の前記車種領域の累積滞在時間長を取得することと、
前記設定時間範囲内の少なくとも１つの前記設定時間帯の前記車種領域の累積滞在時間長を積算し、前記車種領域の総滞在時間長を取得することと、を含む
ことを特徴とする請求項１又は２に記載のデータ処理方法。
【請求項６】
前記設定時間帯がタイムアウトしたことに応答して、前記アキュムレータをリセットするステップを更に含む
ことを特徴とする請求項５に記載のデータ処理方法。
【請求項７】
前記データ処理方法は、
前記端末から送信された、前記所定時間範囲を少なくとも含む第１検索条件を受信するステップを更に含み、
前記所定時間範囲内で来訪した複数のターゲット人物の収集画像に基づいて、複数の車種に対応する総滞在時間長を特定するステップは、
前記第１検索条件に応答し、所定時間範囲内で来訪した複数のターゲット人物の収集画像に基づいて、複数の車種毎に対応する総滞在時間長を特定することを含む
ことを特徴とする請求項１から６の何れか一項に記載のデータ処理方法。
【請求項８】
端末に用いられるデータ処理方法であって、
サーバから送信された複数の車種の人気度ランキング結果を受信するステップと、
前記複数の車種の人気度ランキング結果を表示するステップと、を含み、
前記車種の人気度は、前記サーバが所定時間範囲内における複数の車種に対応する総滞在時間長に基づいて取得したものである
ことを特徴とするデータ処理方法。
【請求項９】
前記所定時間範囲を少なくとも含む第１検索条件を受信するステップと、
前記第１検索条件を前記サーバへ送信するステップと、を更に含む
ことを特徴とする請求項８に記載のデータ処理方法。
【請求項１０】
所定時間範囲内で来訪した複数のターゲット人物の収集画像に基づいて、複数の車種毎に対応する総滞在時間長を特定するように構成される第１特定モジュールと、
前記複数の車種に対応する総滞在時間長に基づいて、前記複数の車種の人気度ランキング結果を特定するように構成される第２特定モジュールと、
前記複数の車種の人気度ランキング結果を端末へ送信するように構成される送信処理モジュールと、を備える
ことを特徴とするデータ処理装置。
【請求項１１】
端末に用いられるデータ処理装置であって、
サーバから送信された複数の車種の人気度ランキング結果を受信するように構成される通信モジュールと、
前記複数の車種の人気度ランキング結果を表示するように構成される表示処理モジュールと、備え、
前記車種の人気度は、前記サーバが所定時間範囲内における複数の車種に対応する総滞在時間長に基づいて取得したものである
ことを特徴とするデータ処理装置。
【請求項１２】
データ処理装置であって、
メモリと、プロセッサと、メモリに記憶されてプロセッサで運転され得るコンピュータプログラムとを含み、
前記プロセッサは、前記プログラムを実行したときに請求項１から９の何れか一項に記載のデータ処理方法を実施する
ことを特徴とするデータ処理装置。
【請求項１３】
記憶媒体であって、
前記記憶媒体には、コンピュータプログラムが記憶され、
プロセッサは、前記コンピュータプログラムを実行したときに、請求項１から９の何れか一項に記載のデータ処理方法を実施する
ことを特徴とする記憶媒体。
【請求項１４】
コンピュータプログラムであって、
前記コンピュータプログラムは、コンピュータ可読コードを含み、
前記コンピュータ可読コードが電子機器で運転されたときに、前記電子機器におけるプロセッサは、請求項１から９の何れか一項に記載のデータ処理方法を実施する
ことを特徴とするコンピュータプログラム。
【国際調査報告】
2022500718.tif 000009
2022500718.tif 000010
2022500718.tif 000011
2022500718.tif 000012
2022500718.tif 000013